(57)【特許請求の範囲】
【請求項１】
ファインダー系の基準となる視野範囲の一部を規制する異なる種類の視野開口が２個以上設けられ、所定位置にセットされることに対応して、前記基準となるファインダー視野を切り替える視野切替え板を撮影光軸に回転自在に設け、前記２個以上の視野開口の中心が、撮影光軸を中心にしたファインダー光軸中心を通る円周上に配置されていることを特徴とするファインダー装置。
【請求項２】
前記視野切替え板の前記所定位置を境にして前記視野切替え板の付勢方向を選択的に切り替えるトグルバネを備え、前記視野切替え板を回転自在に支持するベース面に、前記視野切替え板が前記所定位置にあるときに、前記視野切替え板に挿通されたトグルバネの一端が係合して前記視野切替え板を前記所定位置にセットする係合部を設けたことを特徴とする請求項１記載のファインダー装置。
【発明の詳細な説明】
【０００１】
【発明の属する技術分野】
本発明は、複数種類のプリントが得られるレンズ付きフイルムユニットやコンパクトタイプのカメラ等に搭載されるファインダー視野を切り替える装置に関するものである。
【０００２】
【従来の技術】
近年、カメラやレンズ付きフイルムユニットによるプリント写真の魅力や楽しみをより一層一般のユーザーに広げるために、アスペクト比の異なるプリント写真が提供されている。このようなプリント写真として、従来の標準サイズであるＬサイズプリント（８９ｍｍ×１２７ｍｍ）に加えて、横方向の長さを倍にしたパノラマプリント（８９ｍｍ×２５２ｍｍ）、ハイビジョンテレビ放送でのアスペクト比に近似させたＨサイズプリント（８９ｍｍ×１５８ｍｍ）等が一般に知られている。
【０００３】
このような、アスペクト比の異なるプリント写真を得る方法として、１本の写真フイルムを撮影していく途中で、写真フイルムに対する露光範囲を遮光板等により制限して、Ｌサイズプリント範囲（２４ｍｍ×３６ｍｍ）、パノラマプリント範囲（１３ｍｍ×３６ｍｍ）、及びＨサイズプリント範囲（２０ｍｍ×３６ｍｍ）を設定し、これにより得られた露光範囲の異なるネガフイルムから、上述した各サイズのプリント写真を得る方法が知られている。
【０００４】
また、撮影時には固定された単一の露光範囲で全撮影コマを撮影すると同時に、プリントサイズを指定するプリントデータを記録し、現像所等でのプリント時にこのプリントデータを基にして、前述したような露光範囲に相当する範囲だけをプリントすることにより、各々のサイズのプリント写真を得る方法も考えられている。
【０００５】
一方、特開平６−３０１１５７号公報で知られるように、リーダー部をパトローネから突出させることなく、フイルムを全てパトローネ内に巻き込んだ写真フイルムパトローネが提案されている。この様な写真フイルムパトローネにおいては、Ｈサイズプリント範囲（３０．２ｍｍ×１６．７ｍｍ）を標準のプリント範囲とし、この標準のプリント範囲の横方向を制限したＣサイズプリント範囲（２３．４ｍｍ×１６．７ｍｍ）、及び縦方向を制限したパノラマプリント範囲（３０．２ｍｍ×９．５ｍｍ）が設定される。
【０００６】
このように露光範囲を制限したり、或いはプリント範囲を指定する等の機能を有するカメラやレンズ付きフイルムユニットは、通常、指定したプリント範囲に対応してファインダの視野範囲も変えることにより、それぞれのプリントにおける正確なプリント範囲を撮影者が把握できるようにしたものが多い。ファインダの視野範囲を変える方法としては、例えば、ファインダー系の規準となる視野範囲に、異なる種類の２つ以上の視野開口を有する視野切替え板を挿脱して切り替える装置が知られている。
【０００７】
【発明が解決しようとする課題】
前述したように、視野切替え板を規準となる視野範囲に挿脱してファインダー視野を切替える構成をとる場合、この視野切替え板を使用しないときの退避領域を確保する必要がある。特に３種類以上のプリントに対応した視野範囲に切替えを可能にする場合、視野開口は少なくとも２種類以上必要になる。
【０００８】
しかしながら、多くの場合ファインダの下方に露光光路があり、必然的にユニット本体の横方向に視野枠を退避させるスペースを設けざるを得ない。その結果、ファインダー視野を３つのプリントに対応させる場合には、２つ以上の視野開口を並列して設けた横長の視野切替え板を取り付けなければならない。したがって、小型、軽量が特徴であるコンパクトタイプのカメラやレンズ付きフイルムユニットにおいては、このような横長の視野切替え板は小型化に対する大きな障害となる。
【０００９】
図１１に、横長の視野切替え板を用いた場合の一例を示す。パノラマプリントの縦横比に近似させたパノラマ視野開口９２と、Ｃサイズプリントの縦横比に近似させたＣサイズ視野開口９３とを横に並設した視野切替え板９０を用い、Ｈサイズプリントの縦横比に近似した縦横比にされたＨサイズ視野開口８９の前方に各視野開口を挿入して、ファインダー視野を切り換えるものである。
【００１０】
これだと、Ｈサイズ視野開口８９の両側に、パノラマ視野開口９２を退避させる退避スペース９５と、パノラマ視野開口９２及びＣサイズ視野開口９３とを退避させる退避スペース９６が必要となる。Ｈサイズ視野開口８９の横幅をＡとすると、退避スペース９５は横幅Ａが必要で、退避スペース９６は横幅２Ａが必要である。したがって、合計でＨサイズ視野開口８９を４つ横に並べた分の横幅４Ａが必要となってしまう。
【００１１】
本発明は上記事情を考慮してなされたもので、簡単な構造でスペースが小さくて済むファインダー装置を提供することを目的とする。
【００１２】
【課題を解決するための手段】
上記目的を達成するために、本発明のファインダー装置では、ファインダー系の基準となる視野範囲の一部を規制する異なる種類の視野開口が２個以上設けられ、所定位置にセットされることに対応して、基準となるファインダー視野を切り替える視野切替え板を撮影光軸に回転自在に設け、２個以上の視野開口の中心が、撮影光軸を中心にしたファインダー光軸中心を通る円周上に配置したものである。ファインダー光軸中心を通る円周上に視野切替え板が退避するので、従来の方式のファインダー装置と比べてカメラやレンズ付きフイルムユニットの横幅を小さくすることができる。
【００１３】
また、視野切替え板の所定位置を境にして視野切替え板の付勢方向を選択的に切り替えるトグルバネを備え、視野切替え板を回転自在に支持するベース面に、視野切替え板が所定位置にあるときに、視野切替え板に挿通されたトグルバネの一端が係合して視野切替え板を所定位置にセットする係合部を設けることにより、簡単な構造で確実に視野切替え板を所定位置にセットすることができる。
【００１５】
【発明の実施の形態】
以下に、本発明のファインダー装置を、写真フイルムのすべての画面をハイビジョンサイズで写し込み、各画面毎に画面外にプリント範囲を示す撮影データを光学的に記録する撮影データ写し込み手段を内蔵したレンズ付きフイルムユニットに組み込んだ例を図面を参照しながら説明する。
【００１６】
図５に、本発明を実施したレンズ付きフイルムユニット２の斜視図を示す。レンズ付きフイルムユニット２は簡単な撮影機構とファインダ光学系を備え、予めパトローネ及び写真フイルムが内蔵され、後述するファインダー装置等を内蔵したユニット本体３と、この前面に組み付けられたプレート４とから構成されている。
【００１７】
ユニット本体３の各部には、対物レンズ１０、レリーズボタン１１、ストロボ発光部１２等が設けられている。プレート４には、ストロボ充電開始ボタン１４が一体形成されており、開口１５、丸穴１６、ガイド穴１７が開けられている。開口１５は対物レンズ１０を露呈しており、丸穴１６は撮影レンズ１８を組み込んだ円筒形のレンズ鏡筒１９を露呈している。ガイド穴１７は円弧形に形成されており、これに沿って操作摘み２０が移動自在になっている。
【００１８】
ガイド穴１７の左端、中央、右端には、記号Ｐ（パノラマプリントの略号）、記号Ｃ（Ｃサイズプリントの略号）、記号Ｈ（Ｈサイズプリントの略号）が表示されている。各記号は操作摘み２０のセット位置を表しており、操作摘み２０を各記号にセットすることで、プリントの設定と同時にファインダー視野が切り替わる。
【００１９】
図１に、本発明を実施したレンズ付きフイルムユニットの分解斜視図を示す。ユニット本体３の前面には、円筒形に突出してレンズ鏡筒１９、ストッパ２２、２３、ピン２４、Ｈサイズ視野開口２７等が形成されている。このＨサイズ視野開口２７に対物レンズ１０が組み込まれている。Ｈサイズ視野開口２７は、Ｈサイズプリントに近似した縦横比（約９：１６）で形成されているので、サイズ切替えを行っていない標準状態でＨサイズのファインダー視野を得ることができる。ユニット本体３の内部には、Ｈサイズプリントの縦横比とほぼ同じ縦横比の露光開口枠が形成されており、撮影を行うと写真フイルムに全てＨサイズ露光画面が写し込まれる。
【００２０】
ユニット本体３の前面には、ストロボ接片２８、視野枠切替え板２９及びトグルバネ４０が組み込まれる。視野枠切替え板２９には操作摘み２０が一体形成され、丸穴３１が開けられている。丸穴３１のまわりには、パノラマプリントとほぼ同じ縦横比のパノラマ視野枠３３と、Ｃサイズプリントとほぼ同じ縦横比のＣサイズ視野枠３４が形成されている。
【００２１】
視野枠切替え板２９は、レンズ鏡筒１９を丸穴３１に差し込むことで回転自在に組み込まれる。操作摘み２０の操作によって、視野切替え板２９は撮影レンズ１８の光軸１８ａを中心に回転される。パノラマ視野開口３３とＣサイズ視野開口３４の中心は、撮影光軸１８ａを中心としてＨサイズ視野開口２７の中心（ファインダ光軸中心）を通る円周上に配置されている。操作摘み２０を記号Ｐにセットすることで、Ｈサイズ視野開口２７の前方にパノラマ視野開口３３が挿入され、操作摘み２０を記号Ｃにセットすることで、Ｈサイズ視野開口２７の前方にＣサイズ視野開口３４が挿入される。
【００２２】
レンズ鏡筒１９のまわりには、視野切替え板２９の退避スペース３６、３７が設けられている。操作摘み２０を記号Ｐにセットすると、Ｃサイズ視野開口３４が退避スペース３７に退避され（図２参照）、操作摘み２０を記号Ｃにセットすると、パノラマ視野開口３３が退避スペース３７に退避され（図３参照）、操作摘み３１を記号Ｈにセットすると、Ｃサイズ視野開口３４とパノラマ視野開口３３とが退避スペース３６に退避される（図４参照）。ストッパ２２，２３はレンズ鏡筒１９の左右に設けられており、操作摘み２０の記号Ｐの位置と記号Ｈの位置のそれぞれで、視野切替え板２９のそれ以上の回転を規制する。
【００２３】
また、レンズ鏡筒１９のまわりには、Ｈサイズ視野開口２７の横幅をＡとした場合に、退避スペース３７は横幅を約２Ａ／３を必要とし（図２参照）、退避スペース３６は約３Ａ／２を必要とする（図４参照）。したがって、横幅は合計で約１９Ａ／６あれば済み、従来の視野開口を並設した視野枠板を用いるファインダー装置に比べて小スペースで済む。
【００２４】
ユニット本体３のピン２４と視野切替え板２９の小孔３９には、視野切替え板２９の付勢方向を選択的に切替えるトグルバネ４０が取り付けられる。トグルバネ４０は、操作摘み２０を記号Ｐにした際に視野切替え板２９をストッパ２３に付勢し、操作摘み２０を記号Ｈにした際に視野切替え板２９をストッパ２２に付勢する。ガイド穴１７の記号Ｃの部分にクリック４２が形成され、操作摘み２０とでクリックメカを構成している。操作摘み２０は記号Ｃの位置でクリック結合して、視野切替え板２９の回転が規制される。
【００２５】
図６に、ファインダー装置及びプリント範囲を示す撮影データを光学的に記録する撮影データ写し込み手段を示す。撮影データ写し込み手段は、マスク板５０、ＬＥＤ５２，５３、データ切替え板５４、データ切替えレバー５７、Ｐ型レバー５８とからなる。
【００２６】
マスク部材５０は、矩形状の２個の写し込み用の開口５０ａ，５０ｂを有し、露光が行われるコマの露光画面外に配置されている。ＬＥＤ５２，５３は開口５０ａ，５０ｂの上方に配置されている。マスク板５０は、ＬＥＤ５２，５３の光を遮断又は通過させるもので、矩形状の開口５４ａ，５４ｂを有している。データ光路切替えレバー５７はパイプ状の軸５７ｂを中心に回動自在に本体基部３に取付けられている。Ｐ型レバー５８は横スライド自在にユニット本体２に取り付けられている。
【００２７】
データ光路切替えレバー５７の軸５７ｂの一端に設けたアーム５７ｃの先端には丸棒状の一端部５７ｄが形成されている。この一端部５７ｄは、視野開口板２９に、その一端部６９ａから他端部６９ｂに向かって外側に形成した円弧状のガイド開口６９にスライド自在に入り込んでいる。データ光路切替えレバー５７は、視野枠板３０の回転に連動して、ガイド開口６９を一端部５７ｄがスライド移動することで回転するようになっている。軸５７ｂの他端に設けたアーム５７ｅの先端に丸棒状に形成された他端部５７ｆは、Ｐ型レバー５８を介してデータ切替え板５４に連結しており、データ光路切替えレバー５７の回転に連動してＰ型レバー５８を介してデータ切替え板５４を横スライド移動させる。
【００２８】
上記のように構成されたレンズ付きフイルムユニットについて説明する。Ｈサイズプリント撮影を行う場合、操作摘み２０を記号Ｈにセットしておく。図４に示すように、視野切替え板２９は退避スペース３７に退避しており、Ｈサイズ視野開口２７が塞がれないので、Ｈサイズのファインダー視野を形成している。また、トグルバネ４０は、視野切替え板２９をストッパ２２に付勢して、不用意な回転を禁止している。
【００２９】
データ光路切替えレバー５７は、その一端部５７ｄがガイド開口６９の一端部６９ａに入り込んで一杯に時計回りに回転した状態になっており、データ切替え板５４を写し込み用の開口５０ａ，開口５０ｂの両方を塞ぐ位置にしている。シャッタレリーズを行うと、写真フイルムに露光が行われるのと同時にＬＥＤ５２，５３が発光するが、これらからの光は写真フイルムには達せず、図７（Ｃ）に示すように、Ｈサイズ露光画面６５は露光されるが、ドット７４は露光されない。
【００３０】
Ｃサイズプリント撮影を行うには、今度は操作摘み３１を記号Ｃの位置にセットする。クリック４２と操作摘み３１は係合して、操作摘み３１の不用意な回転を禁止する。図３に示すように、Ｈサイズ視野開口２７の前方にＣサイズ視野開口３４をセットしてＨサイズ視野開口２７を左右から遮って、Ｃサイズのファインダー視野を形成する。
【００３１】
操作摘み３１の操作に従って、データ光路切替えレバー５７の一端部５７ｄはガイド開口３９の中央に移動する。この移動に伴ってデータ光路切替えレバー５７は反時計回りに回転し、データ切替え板５４を、開口５４ａ，５４ｂが写し込み用の開口５０ａ，５０ｂに一致して、写し込み用の開口５０ａ，５０ｂの両方を露出させる位置に移動する。シャッタレリーズを行うと、写真フイルムに露光されるのと同時にＬＥＤ５２，５３が発光する。各々からの光は、開口５４ａ，開口５４ｂを通って開口５０ａ，５０ｂを通過し、図７（Ｂ）に示すように、Ｈサイズ露光画面６５の右下に開口５０ａ，５０ｂと同様の形状のドット７４を２個露光して、Ｃサイズプリントデータを記録する。
【００３２】
パノラマプリント撮影を行うには、操作摘み２０を記号Ｐの位置にセットする。図２に示すように、Ｈサイズ視野開口２７の前方にパノラマ視野開口３３をセットしてＨサイズ視野開口２７の上下を遮って、パノラマサイズのファインダー視野を形成する。トグルバネ４０は視野切替え板２９をストッパ２３に付勢して、不用意な回転を禁止している。
【００３３】
視野切替え板２７の回転に従って、データ光路切替えレバー５７は反時計方向に回転し、一端部５７ｄがガイド開口６９の他端部６９ｂに移動する。これに伴ってデータ切替え板５４が開口５０ｂを塞ぐ位置に移動する。シャッタレリーズを行うと、写真フイルムに露光が行われるのと同時にＬＥＤ５２，５３が発光する。これの光は開口５０ａを通して写真フイルムに達し、Ｈサイズ露光画面６５の右下に、写し込み用の開口５０ｂと同様の形状のドット７４を１個露光して、パノラマプリントデータを記録する。
【００３４】
このようにして、撮影を終了したレンズ付きフイルムユニットが現像取扱店等に提出されると、写真フイルムは現像処理された後、自動プリンタにセットされる。自動プリンタは、センサ等で写真フイルムの下側を１コマごとに走査し、０個のドット７４からなるハイビジョンプリントデータを検出した場合は、自動で露光画面６５にハイビジョンサイズのマスクをかけてＨサイズプリントに焼付ける。また２個のドット７４からなるＣサイズプリントデータを検出した場合には、自動で露光画面６５にＣサイズのマスクをかけてＣサイズプリントに焼付ける。そして、１個のドット７４からなるパノラマサイズプリントデータを検出した場合には、自動で露光画面６５にパノラマサイズのマスクをかけてパノラマプリントに焼付ける。
【００３５】
また、図８に示すように、視野切替え板８０の回転軸を挟んで、トグルバネ８２のバネ力の作用する方向に対向する向きにクリック８４を形成し、トグルバネ８２のバネ力によって、操作摘み８３をクリック８４に積極的に係合させて、クリック止めがより確実に行われるようにしてもよい。
【００３６】
図９に、本発明のトグルバネ機構をレンズ付きフイルムユニットに用いた例を示す。簡単な撮影機構を備え、予め写真フイルムを内蔵したユニット本体１００の前面には、中心に撮影レンズ１０１が配された円筒状の嵌め込み用のリブ１０２、バネ取付け用のピン１０３、Ｈサイズ視野開口１０４等が形成されており、視野切替え板１０７、トグルバネ１０８を組み込み後、爪結合によってプレート１０９を取り付ける。
【００３７】
視野切替え板１０７にはパノラマ視野開口１１０、Ｃサイズ視野開口１１１、丸穴１１４、操作摘み１１５、バネ取付け穴１１６が形成されている。視野切替え板１０７は、リブ１０２を穴１１４に挿入して光軸１０１ａに回動自在となる。Ｈサイズ視野開口１０４、パノラマ視野開口１１０、Ｃサイズ視野開口１１１は同軸円上に配置されており、Ｈサイズ視野開口１０４に各視野開口をセットすることでファインダー視野が切替わる。プレート１０９には、操作摘み１１５を露呈させるガイド溝１２０、撮影レンズ１０１を露呈させる穴１２１等が形成されている。ガイド溝１２０には上から前述したものと同じ記号Ｐ，Ｃ，Ｈが記されている。
【００３８】
トグルバネ１０８は、一端１０８ａを後側から穴１１６にさし込み、他端をピン１０３にかけて取り付けられる。トグルバネ１０８は、視野切替え板１０７の付勢方向を選択的に切り替えるものである。その切り替えは、操作摘み１１５を記号Ｃの位置にセットして、Ｈサイズ視野開口１０４にＣサイズ視野開口１１０をセットした視野切替え板１０７の位置を境にして行われる。
【００３９】
操作摘み１１５を右回転して操作摘み１１５が記号Ｃの位置を過ぎると、トグルバネ１０８の付勢力で視野切替え板１０７は一杯に右回転する。Ｈサイズ視野開口１０４にパノラマ視野開口１１０がセットされるので、パノラマファインダー視野が得られる。また。操作摘み１１５を左回転して操作摘みが記号Ｃの位置を過ぎると、トグルバネ１０８の付勢力で視野切替え板１０７は一杯に左回転する。Ｈサイズ視野開口１０４から視野切替え板１０７は退避するので、Ｈサイズファインダー視野が得られる。
【００４０】
トグルバネ１０８の一端１０８ａは、視野切替え板１０７の前面に突出している。そのため、プレート１０９の裏面側には、視野切替え板１０７の回動した際の一端１０８ａの移動域に一致する円弧状の溝１２５を形成され、これに沿って一端１０８ａが移動するようになっている。
【００４１】
図９の要部を示す図１０において、溝１２５には撮影光軸１０１ａに向かって凹部１２５ａが形成されている。操作摘み１１５を記号Ｃにセットしたときに、一端１０８ａがバネ力を利用して凹部１２５ａに入り込むので、視野切替え板１０７の不用意な回転が防止され、Ｃサイズ視野開口を確実にセットすることができる。
【００４２】
以上に本発明をレンズ付きフイルムユニットに実施した例を示したが、一般のコンパクトタイプのカメラ等にも全く同様に実施可能である。また視野切替え板をユニット本体の内部に設けるようにしてもよい。また操作摘みを位置決めするクリックをユニット本体に形成するようにしてもよい。
【００４３】
また、上記では、ハイビジョン，パノラマ，Ｃサイズのプリントを取りあげたが、これ以外にも任意のサイズのプリントにほぼ一致するアスペクト比の視野開口を用いるようにしてもよい。また、ドットの写し込みなしをＨサイズ、２個のドットでＣサイズ，１個のドットでパノラマとしているが、これらに限定されるものではない。また、本発明のトグルバネ機構は、視野切替え板の付勢機構として用いられるのに限定されるものではないのは勿論である。
【００４４】
【発明の効果】
以上のように、本発明の本発明のファインダー装置によれば、ファインダー系の基準となる視野範囲の一部を規制する異なる種類の視野開口が２個以上設けられ、所定位置にセットされることに対応して、基準となるファインダー視野を切り替える視野切替え板を撮影光軸に回転自在に設け、２個以上の視野開口の中心が、撮影光軸を中心にしたファインダー光軸中心を通る円周上に配置したものである。ファインダー光軸中心を通る円周上に視野切替え板が退避するので、従来の方式のファインダー装置と比べてカメラやレンズ付きフイルムユニットの横幅を小さくすることができる。
【００４５】
また、視野切替え板の所定位置を境にして視野切替え板の付勢方向を選択的に切り替えるトグルバネを備え、視野切替え板を回転自在に支持するベース面に、視野切替え板が所定位置にあるときに、視野切替え板に挿通されたトグルバネの一端が係合して視野切替え板を所定位置にセットする係合部を設けたので、視野切替え板を簡単な構造で確実に所定位置にセットすることができる。
【図面の簡単な説明】
【図１】本発明のファインダー装置を備えたレンズ付きフイルムユニットの分解斜視図である。
【図２】本発明のファインダー装置でパノラマサイズのファインダー視野を形成する場合の平面図である。
【図３】本発明のファインダー装置でＣサイズのファインダー視野を形成する場合の平面図である。
【図４】本発明のファインダー装置でＨサイズのファインダー視野を形成する場合の平面図である。
【図５】レンズ付きフイルムユニットの斜視図である。
【図６】ファインダー装置及びプリント範囲を示す撮影データを光学的に記録する撮影データ写し込み手段の斜視図である。
【図７】露光画面の平面図である。
【図８】別のファインダー装置の平面図である。
【図９】本発明のトグルバネ機構を備えたレンズ付きフイルムユニットの分解斜視図である。
【図１０】図９のトグルバネ機構の説明に用いる平面図である。
【図１１】ファインダー装置の他の例を示す平面図である。
【符号の説明】
３  ユニット本体
４  プレート
１８  撮影レンズ
１８ａ  光軸
２０  操作摘み
２７  Ｈサイズ視野開口
２９  視野切替え板
３３  パノラマ視野開口
３４  Ｃサイズ視野開口
４０  トグルバネ
【図１】
0003670402.tif 000002
【図２】
0003670402.tif 000003
【図３】
0003670402.tif 000004
【図４】
0003670402.tif 000005
【図５】
0003670402.tif 000006
【図６】
0003670402.tif 000007
【図７】
0003670402.tif 000008
【図８】
0003670402.tif 000009
【図９】
0003670402.tif 000010
【図１０】
0003670402.tif 000011
【図１１】
0003670402.tif 000012